(57)【要約】【課題】立位姿勢の患者の足をＸ線撮影するときに、足の甲にＸ線を垂直に入射させることを可能にし、正確なＸ線撮影を短時間で行うことができる線撮影用補助具とＸ線撮影方法を提供する。【解決手段】本発明は、立位姿勢の患者の足をＸ線撮影するために、Ｘ線撮影装置の管球直下の床上に設置して使用されるＸ線撮影用補助具であって、このＸ線撮影用補助具は、Ｘ線撮影用のフィルムを収容した乾板を載置する足踏面部を備えた踏み台形状に形成され、該足踏面部は、患者の片足を踏み込んだ状態で乗せたときに足の甲の傾斜が床面に対して略水平となるような向きに所定の角度で傾斜して成り、足踏面部に乗せた患者の足の甲にＸ線を垂直に入射させることを特徴とする。【選択図】図７
2008136784.tif 000002
【特許請求の範囲】
【請求項１】
立位姿勢の患者の足をＸ線撮影するために、Ｘ線撮影装置の管球直下の床上に設置して使用されるＸ線撮影用補助具であって、このＸ線撮影用補助具は、Ｘ線撮影用のフィルムを収容した乾板を載置する足踏面部を備えた踏み台形状に形成され、該足踏面部は、患者の片足を踏み込んだ状態で乗せたときに足の甲の傾斜が床面に対して略水平となるような向きに所定の角度で傾斜して成り、足踏面部に乗せた患者の足の甲にＸ線を垂直に入射させることを特徴とするＸ線撮影用補助具。
【請求項２】
Ｘ線撮影用補助具の足踏面部は、乗せている足の指を持ち上げるように傾斜している請求項１に記載のＸ線撮影用補助具。
【請求項３】
Ｘ線撮影用補助具の足踏面部の傾斜角度は、約１０°を基準としている請求項１または２に記載のＸ線撮影用補助具。
【請求項４】
Ｘ線撮影用補助具の足踏面部は、凹状に形成されている請求項１乃至３のいずれかに記載のＸ線撮影用補助具。
【請求項５】
Ｘ線撮影用補助具は、床面に対して滑らない摩擦部材によって形成されている請求項１乃至４のいずれかに記載のＸ線撮影用補助具。
【請求項６】
立位姿勢の患者の足をＸ線撮影するためのＸ線撮影方法であって、Ｘ線撮影装置の管球直下の床上にＸ線撮影用補助具を設置する工程と、Ｘ線撮影用のフィルムを収容した乾板をＸ線撮影用補助具の傾斜した足踏面部に載置する工程と、傾斜した足踏面部に載置した乾板の上に立位姿勢のまま患者の片足を踏み込んだ状態で乗せることで、足の甲の傾斜を床面に対して略水平の状態にする工程と、足踏面部に乗せた患者の足の甲にＸ線を垂直に入射させて足のＸ線撮影を行う工程と、から成ることを特徴としたＸ線撮影方法。
【請求項７】
傾斜した足踏面部に載置した乾板の上に立位姿勢のまま患者の片足を踏み込んだ状態で乗せることで、足の甲の傾斜を床面に対して略水平の状態にする工程は、足踏面部に乗せている足の指を持ち上げるように傾斜させている請求項６に記載のＸ線撮影方法。
【請求項８】
傾斜した足踏面部に載置した乾板の上に立位姿勢のまま患者の片足を踏み込んだ状態で乗せることで、足の甲の傾斜を床面に対して略水平の状態にする工程は、足踏面部の傾斜角度を、約１０°としている請求項６または７に記載のＸ線撮影方法。
【請求項９】
Ｘ線撮影用のフィルムを収容した乾板を、Ｘ線撮影用補助具の傾斜した足踏面部に載置する工程は、凹状に形成された足踏面部に乾板を配置している請求項６に記載のＸ線撮影方法。
【発明の詳細な説明】
【技術分野】
【０００１】
本発明は、立位姿勢の患者の足をＸ線撮影するときに、足の甲にＸ線を垂直に入射させることを可能にし、正確なＸ線撮影を短時間で行うことができる線撮影用補助具とＸ線撮影方法に関するものである。
【背景技術】
【０００２】
従来から病院の放射線科が行っている患者の足の診断において、立位姿勢の患者の足をＸ線撮影する場合、以下の手順で行われていた。
【０００３】
先ず、図８に示すように、Ｘ線撮影装置Ｐの管球直下の床上にゴザ１０等を敷き、このゴザ１０の上に、Ｘ線撮影用のフィルムＦが収容された乾板６を置く。
【０００４】
そして、Ｘ線撮影装置Ｐの管球から発生するＸ線を患者の足の甲Ｑに垂直に入射させるために、Ｘ線撮影装置Ｐを操作し、管球からのＸ線照射角度を約１０°傾ける。
【０００５】
これは、床面に水平に置かれている乾板６の上に、踏み込んだ状態で患者の足を乗せると、足の甲Ｑが当該床面（乾板）に対して約１０°傾くからであり、正確なＸ線撮影を行うためには、この足の甲Ｑの傾きに対応して、管球からのＸ線照射角度を１０°傾ける必要があるのである。
【０００６】
そして、図８に示すように、前記した乾板６の上に、立位姿勢のまま踏み込んだ状態で患者の片足を乗せてもらい、その状態で足のＸ線撮影を行っていた。
【特許文献１】特になし
【発明の開示】
【発明が解決しようとする課題】
【０００７】
しかしながら、従来のように、立位姿勢の患者の足をＸ線撮影し、患者の足の診断を行う場合は、他のＸ線撮影よりも作業に手間が掛かるため、検査時間が長くなり、患者の負担が増すと同時に、次の患者の検査の待ち時間が長くなることが危惧されている。
【０００８】
特に、立位姿勢で患者の足をＸ線撮影する場合、ゴザ１０を床上に敷いたり、Ｘ線撮影装置Ｐの管球からのＸ線照射角度を傾ける等の作業により、検査時間が長くなってしまう。
【０００９】
しかも、ゴザ１０は滑り易いことから、患者にとって危険であると共に、正確なＸ線撮影を行うことが難しくなっていた。
【００１０】
さらに、管球から発生するＸ線を、患者の足の甲Ｑに垂直に入射させるために、Ｘ線撮影装置Ｐの管球からのＸ線照射角度を１０°傾けていたが、Ｘ線撮影を行う者によってＸ線の照射角度にばらつきが生じる等の種々の問題点を有していた。
【００１１】
そこで、本発明は如上のような従来存した諸事情に鑑み創出されたもので、立位姿勢で患者の足をＸ線撮影する場合において、従来のようにゴザを床上に敷いたり、Ｘ線撮影装置の管球からのＸ線照射角度を傾ける等の作業による手間を省くことで検査時間を短くし、これによって患者の負担を減らすと同時に、次の患者の検査の待ち時間を短くすることができ、しかも、患者の安全を確保しつつ、正確なＸ線撮影を行うことができる線撮影用補助具とＸ線撮影方法を提供することを目的とする。
【課題を解決するための手段】
【００１２】
本発明は、立位姿勢の患者の足をＸ線撮影するために、Ｘ線撮影装置の管球直下の床上に設置して使用されるＸ線撮影用補助具であって、このＸ線撮影用補助具は、Ｘ線撮影用のフィルムを収容した乾板を載置する足踏面部を備えた踏み台形状に形成され、該足踏面部は、患者の片足を踏み込んだ状態で乗せたときに足の甲の傾斜が床面に対して略水平となるような向きに所定の角度で傾斜して成り、足踏面部に乗せた患者の足の甲にＸ線を垂直に入射させることで、上述した課題を解決した。
【００１３】
また、Ｘ線撮影用補助具の足踏面部は、乗せている足の指を持ち上げるように傾斜していることで、同じく上述した課題を解決した。
【００１４】
さらに、Ｘ線撮影用補助具の足踏面部の傾斜角度は、約１０°を基準としていることで、同じく上述した課題を解決した。
【００１５】
また、Ｘ線撮影用補助具の足踏面部は、凹状に形成されていることで、同じく上述した課題を解決した。
【００１６】
加えて、Ｘ線撮影用補助具は、床面に対して滑らない摩擦部材によって形成されていることで、同じく上述した課題を解決した。
【００１７】
一方、本発明は、立位姿勢の患者の足をＸ線撮影するためのＸ線撮影方法であって、Ｘ線撮影装置の管球直下の床上にＸ線撮影用補助具を設置する工程と、Ｘ線撮影用のフィルムを収容した乾板をＸ線撮影用補助具の傾斜した足踏面部に載置する工程と、傾斜した足踏面部に載置した乾板の上に立位姿勢のまま患者の片足を踏み込んだ状態で乗せることで、足の甲の傾斜を床面に対して略水平の状態にする工程と、足踏面部に乗せた患者の足の甲にＸ線を垂直に入射させて足のＸ線撮影を行う工程と、から成ることで、同じく上述した課題を解決した。
【００１８】
また、傾斜した足踏面部に載置した乾板の上に立位姿勢のまま患者の片足を踏み込んだ状態で乗せることで、足の甲の傾斜を床面に対して略水平の状態にする工程は、足踏面部に乗せている足の指を持ち上げるように傾斜させていることで、同じく上述した課題を解決した。
【００１９】
さらに、傾斜した足踏面部に載置した乾板の上に立位姿勢のまま患者の片足を踏み込んだ状態で乗せることで、足の甲の傾斜を床面に対して略水平の状態にする工程は、足踏面部の傾斜角度を、約１０°としていることで、同じく上述した課題を解決した。
【００２０】
また、Ｘ線撮影用のフィルムを収容した乾板を、Ｘ線撮影用補助具の傾斜した足踏面部に載置する工程は、凹状に形成された足踏面部に乾板を配置していることで、同じく上述した課題を解決した。
【発明の効果】
【００２１】
本発明によれば、立位姿勢で患者の足をＸ線撮影する場合において、従来のようにゴザを床上に敷いたり、Ｘ線撮影装置の管球からのＸ線照射角度を傾ける等の作業による手間を省くことで検査時間を短くし、これによって患者の負担を減らすと同時に、次の患者の検査の待ち時間を短くすることができ、しかも、患者の安全を確保しつつ、正確なＸ線撮影を行うことができる。
【００２２】
すなわち、本発明は、立位姿勢の患者の足をＸ線撮影するために、Ｘ線撮影装置の管球直下の床上に設置して使用されるＸ線撮影用補助具であって、このＸ線撮影用補助具は、Ｘ線撮影用のフィルムを収容した乾板を載置する足踏面部を備えた踏み台形状に形成され、該足踏面部は、患者の片足を踏み込んだ状態で乗せたときに足の甲の傾斜が床面に対して略水平となるような向きに所定の角度で傾斜して成り、足踏面部に乗せた患者の足の甲にＸ線を垂直に入射させることができるので、従来のようにＸ線撮影装置の管球からのＸ線照射角度を傾けることなく、正確なＸ線撮影を行うことができる。
【００２３】
また、従来のようにゴザを床上に敷いたり、Ｘ線撮影装置の管球からのＸ線照射角度を傾ける等の作業による手間を省いて、検査時間を短くすることができる。
【００２４】
具体的に、本発明に係るＸ線撮影用補助具を使用した場合と使用しない場合において、全体の作業時間を比較すると、Ｘ線撮影用補助具を使用した場合は平均４８秒でＸ線撮影を終了できるのに対し、Ｘ線撮影用補助具を使用しない場合は平均７０秒の時間を必要とし、１件のＸ線撮影において、およそ２２秒の差が生じる。
【００２５】
即ち、本発明に係るＸ線撮影用補助具を使用することにより、１件のＸ線撮影の時間をおよそ２２秒短縮できるのである。これを月平均のＸ線撮影依頼数である１８件を基に年間時間数に換算すると、年間１．３２時間(４７５２秒＝１時間１９分１２秒)もの作業時間を短縮できることとなる。
【００２６】
さらに、Ｘ線撮影用補助具の足踏面部は、乗せている足の指を持ち上げるように傾斜しているので、患者の片足を踏み込んだ状態で足踏面部に乗せ易くなっており、患者の負担を減らすことができる。
【００２７】
また、Ｘ線撮影用補助具の足踏面部の傾斜角度は、約１０°を基準としているので、患者の片足を踏み込んだ状態で足踏面部に乗せたときに足の甲の傾斜が床面に対して略水平となり、足踏面部に乗せた患者の足の甲にＸ線を垂直に入射させることができる。
【００２８】
加えて、Ｘ線撮影用補助具の足踏面部は、凹状に形成されているので、この足踏面部に、Ｘ線撮影用のフィルムを収容した乾板を簡単に載置することができる。
【００２９】
また、乾板の縁部が凹状の足踏面部に当接して、乾板が動かない状況を維持することができる。
【００３０】
この他、Ｘ線撮影用補助具は、床面に対して滑らない摩擦部材によって形成されているので、患者の片足を踏み込んだ状態で足踏面部に乗せたときに、Ｘ線撮影用補助具が床面を滑って移動することが無く、Ｘ線撮影時の患者の安全を確保している。
【００３１】
一方、本発明は、立位姿勢の患者の足をＸ線撮影するためのＸ線撮影方法であって、Ｘ線撮影装置の管球直下の床上にＸ線撮影用補助具を設置する工程と、Ｘ線撮影用のフィルムを収容した乾板をＸ線撮影用補助具の傾斜した足踏面部に載置する工程と、傾斜した足踏面部に載置した乾板の上に立位姿勢のまま患者の片足を踏み込んだ状態で乗せることで、足の甲の傾斜を床面に対して略水平の状態にする工程と、足踏面部に乗せた患者の足の甲にＸ線を垂直に入射させて足のＸ線撮影を行う工程と、から成ることから、従来のようにＸ線撮影装置の管球からのＸ線照射角度を傾ける必要が無い。
【００３２】
そのため、Ｘ線撮影方法を規格化することが可能となり、正確なＸ線撮影を行って、常に同一条件・同一規格のＸ線写真を確実に撮ることができる。
【００３３】
また、傾斜した足踏面部に載置した乾板の上に立位姿勢のまま患者の片足を踏み込んだ状態で乗せることで、足の甲の傾斜を床面に対して略水平の状態にする工程は、足踏面部に乗せている足の指を持ち上げるように傾斜させているので、患者の片足を踏み込んだ状態で足踏面部に乗せ易くなっており、患者の負担を減らすことができる。
【００３４】
さらに、傾斜した足踏面部に載置した乾板の上に立位姿勢のまま患者の片足を踏み込んだ状態で乗せることで、足の甲の傾斜を床面に対して略水平の状態にする工程は、足踏面部の傾斜角度を、約１０°としているので、患者の片足を踏み込んだ状態で足踏面部に乗せたときに足の甲の傾斜が床面に対して略水平となり、足踏面部に乗せた患者の足の甲にＸ線を垂直に入射させることができる。
【００３５】
また、Ｘ線撮影用のフィルムを収容した乾板を、Ｘ線撮影用補助具の傾斜した足踏面部に載置する工程は、凹状に形成された足踏面部に乾板を配置しているので、この足踏面部に、Ｘ線撮影用のフィルムを収容した乾板を簡単に載置することができる。
【発明を実施するための最良の形態】
【００３６】
以下に、本発明を実施するための最良の形態を、図面を参照して説明する。
【００３７】
本発明に係るＸ線撮影用補助具１は、図１に示すように、Ｘ線撮影装置Ｐの管球直下の床上に設置して使用されるものである。
【００３８】
このＸ線撮影用補助具１は、図５・図６に示すように、Ｘ線撮影用のフィルムFを収容した乾板６を載置する足踏面部４を備えた踏み台形状に形成されている。
【００３９】
具体的には、図５に示すように、矩形板状の底板２と、該底板２の一端から垂直に起立した側板３と、該側板３の上端から底板２の他端側に架けて配置され、傾斜状に固定されている足踏面部４を備えている。
【００４０】
また、Ｘ線撮影用補助具１の足踏面部４は、図７に示すように、乗せている患者の足の指を持ち上げるように傾斜している。
【００４１】
この足踏面部４の傾斜角度は、側板３の高さによって決定されるものである。そして、足の甲Ｑの傾斜角度がおよそ１０°であるのに対応して、足踏面部４の傾斜角度は、約１０°を基準とするように側板３の高さが設定されている。
【００４２】
このように、足踏面部４の傾斜角度を約１０°にすることで、図７に示すように、立位姿勢で患者の片足を踏み込んだ状態で乗せたときに、足の甲Ｑの傾斜が床面に対して略水平となり、足踏面部４に乗せた患者の足の甲ＱにＸ線を垂直に入射させることができる。
【００４３】
また、Ｘ線撮影用補助具１は、床面に対して滑らない摩擦部材を用いて形成されている。
【００４４】
Ｘ線撮影用補助具１の足踏面部４には、図５に示すように、周囲全体に枠部を付設することで、内部全体が浅く凹んだ凹部５を設けている。そして、図６に示すように、この凹部５内に、Ｘ線撮影用のフィルムＦを収容した乾板６を載置するのである。
【００４５】
足踏面部４に載せる乾板６は、図３に示すように、矩形薄型のケース状に形成されている。また、図２に示すように、乾板６の一方面側の端部には、略Ｌ字板状に形成された扉部７が設けられている。この扉部７には、スライドストッパー８が取り付けられている。
【００４６】
そして、図２に示すように、スライドストッパー８による係止を解除して扉部７を開放状態にしてから、乾板６内にＸ線撮影用のフィルムＦを収容するのである。
【００４７】
また、図４に示すように、乾板６の他方面側には、フィルムＦの周縁部のみを保持した状態で、その中央の略全面を露出させるようにした開口部９が形成されている。
【００４８】
次に、Ｘ線撮影用補助具１を用いて、立位姿勢の患者の足をＸ線撮影するためのＸ線撮影方法を説明する。
【００４９】
このＸ線撮影方法は、Ｘ線撮影装置Ｐの管球直下の床上にＸ線撮影用補助具１を設置する工程と、Ｘ線撮影用のフィルムFを収容した乾板６をＸ線撮影用補助具１の傾斜した足踏面部４に載置する工程と、傾斜した足踏面部４に載置した乾板６の上に立位姿勢のまま患者の片足を踏み込んだ状態で乗せることで、足の甲Qの傾斜を床面に対して略水平の状態にする工程と、足踏面部４に乗せた患者の足の甲QにＸ線を垂直に入射させて足のＸ線撮影を行う工程と、から成る。
【００５０】
以下に、上記した各工程を詳述する。
【００５１】
（Ｘ線撮影装置の管球直下の床上にＸ線撮影用補助具を設置する工程）
先ず、Ｘ線撮影用補助具１は、図１に示すように、Ｘ線撮影装置Ｐの管球直下における床上に設置される。
【００５２】
Ｘ線撮影装置Ｐは、天井Ｔから伸縮移動可能で且つ平行移動可能なマニプレータＭと、床面に対する縦横方向への向きの変更が可能な操作部Ｌを備えている。また、Ｘ線撮影装置Ｐは、天井Ｔに吊り下げられたような状態で取り付けられている。
【００５３】
そして、Ｘ線発生用の不図示の管球が、下方に設置されているＸ線撮影用補助具１の足踏面部４に向けられている。
【００５４】
（Ｘ線撮影用のフィルムを収容した乾板をＸ線撮影用補助具の傾斜した足踏面部に載置する工程）
次に、図２に示すように、スライドストッパー８による係止を解除して扉部７を開放状態にしてから、乾板６内にＸ線撮影用のフィルムＦを収容する。
【００５５】
そして、図６に示すように、扉部７を閉塞した乾板６を、Ｘ線撮影用補助具１の足踏面部４における凹部５内に載せる。この際、フィルムＦが露出している乾板６の開口部９側を上に向けて凹部５内に載せるようにする。
【００５６】
（傾斜した足踏面部に載置した乾板の上に立位姿勢のまま患者の片足を踏み込んだ状態で乗せることで、足の甲の傾斜を床面に対して略水平の状態にする工程）
次に、図７に示すように、傾斜した足踏面部４に載置した乾板６の上に、立位姿勢のまま患者の片足を踏み込んだ状態で乗せる。このとき、患者の足は、足踏面部４に乗せている足の指が、若干持ち上げられたような状態となり、足の全体が強制的に傾斜させられた状態となる。そのため、足の甲Qの傾斜が、床面に対して略水平の状態になる。
【００５７】
このとき、足踏面部４の傾斜角度が約１０°であるので、甲Ｑ自体の傾斜が相殺され、足の甲Qの傾斜が床面に対して略水平となる。
【００５８】
（足踏面部に乗せた患者の足の甲にＸ線を垂直に入射させて足のＸ線撮影を行う工程）
このように、Ｘ線撮影用補助具１の足踏面部４に患者の足を踏み込んだ状態で乗せ、足の甲Qの傾斜を床面に対して略水平の状態にしてから、この患者の足の甲QにＸ線を垂直に入射させて足のＸ線撮影を行う。
【産業上の利用可能性】
【００５９】
本発明に係るＸ線撮影用補助具とＸ線撮影方法は、立位姿勢で患者の足をＸ線撮影する場合の他に、種々のＸ線撮影に幅広く利用することができる。
【図面の簡単な説明】
【００６０】
【図１】本発明に係るＸ線撮影用補助具を、Ｘ線撮影装置の管球直下に設置した状態を示す斜視図である。
【図２】Ｘ線撮影用のフィルムを乾板内に収容する状態を示す分解斜視図である。
【図３】乾板をフィルム挿入面側から見た状態の斜視図である。
【図４】乾板をフィルム露出面側から見た状態の斜視図である。
【図５】乾板を載せていない状態のＸ線撮影用補助具の全体構成を示す斜視図である。
【図６】乾板を載せた状態のＸ線撮影用補助具の全体構成を示す斜視図である。
【図７】本発明に係るＸ線撮影用補助具をＸ線撮影装置の管球直下に設置し、傾斜した足踏面部に載置された乾板上に患者の片足を踏み込ませているＸ線撮影時の状態を示す斜視図である。
【図８】従来におけるＸ線撮影時の状態を示す斜視図である。
【符号の説明】
【００６１】
Ｐ…Ｘ線撮影装置
Ｑ…足の甲
Ｆ…Ｘ線撮影用のフィルム
Ｔ…天井
Ｍ…マニプレータ
Ｌ…操作部
１…Ｘ線撮影用補助具
２…底板
３…側板
４…足踏面部
５…凹部
６…乾板
７…扉部
８…スライドストッパー
９…開口部
１０…ゴザ
【図１】
2008136784.tif 000003
【図２】
2008136784.tif 000004
【図３】
2008136784.tif 000005
【図４】
2008136784.tif 000006
【図５】
2008136784.tif 000007
【図６】
2008136784.tif 000008
【図７】
2008136784.tif 000009
【図８】
2008136784.tif 000010